(57)【要約】      （修正有）【課題】タッチスクリーンに接触させるカード型の入力デバイスであって、カードを載置する向きに関わらずタッチスクリーンに対して情報を入力することができる新たな入力デバイスの提供する。【解決手段】マルチタッチを認識できる静電容量検出方式のタッチスクリーンに用いる入力デバイス１であって、薄いシート状の基材４を有し、基材の内層若しくは表面にタッチスクリーンによって検出可能な形状を有する電極面３ａ、３ｂを複数設け、複数の電極面を複数設けた被検出領域５を中心とした対称位置であって基材の側部付近に、電極面と細幅の導線部２ａ、２ｂによって接続した２以上の静電容量保持領域６ａ、６ｂを設ける。【選択図】図１
2020046848.tif 000002
【特許請求の範囲】
【請求項１】
マルチタッチを認識できる静電容量検出方式のタッチスクリーンに用いる入力デバイスであって、
薄いシート状の基材を有し、
当該基材の内層若しくは表面に前記タッチスクリーンによって検出可能な形状を有する電極部を複数設け、
前記複数の電極部を設けた領域の周囲若しくは当該領域を中心とした対称位置である前記基材の側部付近に、前記電極部と細幅の導線部によって接続した２以上の静電容量保持領域を設けたことを特徴とする入力デバイス。
【請求項２】
前記基材の外形を矩形形状に形成するとともに、対向する両側縁に沿ってそれぞれ静電容量保持領域を設けたことを特徴とする請求項１記載の入力デバイス。
【請求項３】
前記静電容量保持領域を複数の細幅の導線によって形成した編目状の導線パターンを有する平面として形成したことを特徴とする請求項１または２記載の入力デバイス。
【請求項４】
当該入力デバイスの端縁に、前記静電容量保持領域の一部若しくは静電容量保持領域に接続された導電部を露出させたことを特徴とする請求項１乃至３の何れか一項記載の入力デバイス。
【請求項５】
一つのコード情報を形成する導電部のグループを２組以上設けるとともに、各グループ毎に接続する電容量保持領域を異ならせたことを特徴とする請求項１乃至４の何れか一項記載の入力デバイス。
【請求項６】
コード情報を形成する導電部のグループを１組設けるとともに、一つの導電部に２以上の電容量保持領域を接続したことを特徴とする請求項１乃至４の何れか一項記載の入力デバイス。
【請求項７】
前記静電容量保持領域を、電極部を設けた領域から遠ざけた位置にまで長さを延ばした導線によって形成したことを特徴とする請求項１乃至６の何れか一項記載の入力デバイス。
【発明の詳細な説明】
【技術分野】
【０００１】
本発明はタッチスクリーンを利用した入力デバイスに関する。特に、カード形状の入力デバイスにおいて、タッチスクリーン上に配置するカードの向きに関わらず、カードに搭載した情報を認識させることができる入力デバイスに関するものである。
【背景技術】
【０００２】
従来、マルチタッチを認識できる静電容量検出方式のタッチスクリーンを利用して、複数の導電性物質の位置を認識させ、この位置情報を識別可能な特性情報として取得する方式がある。この方式に用いる入力デバイスは、特性情報ごとに配置が定められた複数の導電性物質によって形成した被検出部（電極）を有している。このような入力デバイスとして特許文献１に記載されているものがある。
【０００３】
特許文献１記載の入力デバイスは、非導電性基板（２）上に被検出部を構成する複数のタッチポイント（３）と外部からの静電容量を結合（カプリング）する結合面（５）とタッチポイント（３）と結合面（５）を結ぶ導電トレース（４）を設けたものである。さらに図１１には、タッチポイント（３）の配置形状を異ならせた２組の入力情報を設け、長方形状に形成したカードの対角付近に、導電トレース（４）によって各組を構成するタッチポイント（３）を結合面（５）に接続したものが記載されている。この結合面（５）は、「タッチポイントの一部が結合面であることを提供することができる」（段落００２８）との記載されているように、タッチポイント（３）としても機能するようにタッチスクリーンによって検出可能な態様として導電インク等によって塗りつぶされた面領域として構成されたものである。
【０００４】
上記の入力デバイスは結合面に人間が容量結合（カップリング）することで、その結合面に接続されたタッチポイントをタッチスクリーンによって検出可能となるように活性化させるものである。そして、この結合面は明細書中にも記載されているようにタッチポイントとしての機能も有するものであるから、人体がタッチポイントと容量結合（手指が近接等）すると結合面自体もタッチポイントとして認識されるようになっている。このため、実際には本来認識させようとする一組のタッチポイントとともに他の一組のタッチポイントに接続された結合面も認識される可能性がある。
【先行技術文献】
【特許文献】
【０００５】
【特許文献１】特許第５９３４１９５号公報
【発明の概要】
【発明が解決しようとする課題】
【０００６】
本発明は、タッチスクリーンに接触させるカード型の入力デバイスであって、カードを載置する向きに関わらずタッチスクリーンに対して情報を入力することができる新たな入力デバイスの提供を課題とするものである。
【課題を解決するための手段】
【０００７】
上記課題を解決するために、本発明に係る入力デバイスは以下の構成を有する。すなわち、マルチタッチを認識できる静電容量検出方式のタッチスクリーンに用いる入力デバイスであって、薄いシート状の基材を有し、当該基材の内層若しくは表面に前記タッチスクリーンによって検出可能な形状を有する電極部を複数設け、前記複数の電極部を設けた領域の周囲若しくは当該領域を中心とした対称位置である前記基材の側部付近に、前記電極部と細幅の導線部によって接続した２以上の静電容量保持領域を設けたことを特徴とする。
【発明の効果】
【０００８】
本発明は電極部とこれに接続された静電容量保持領域が同時にタッチスクリーン上に配置された場合であっても、電極部の検出が静電容量保持領域によって阻害されない入力デバイスを提供することができるという作用を利用したものである。これにより、マルチタッチを認識できる静電容量検出方式のタッチスクリーンに用いる入力デバイスであって、カードのどちらの短辺を持っても機能する入力デバイスを提供することができるという効果を有している。また、タッチスクリーンに正対した場合において、入力デバイスを手指に把持した状態で左右どちらの側からタッチスクリーンに載置しても、入力デバイスに格納されているコード情報を取得できるという効果を有している。
【図面の簡単な説明】
【０００９】
【図１】カード型に形成した入力デバイスの構造を表した説明図である。
【図２】図１に示した入力デバイスの使用状態を表した説明図である。
【図３】カード型に形成した他の入力デバイスの構造を表した説明図である。
【図４】図３に示した入力デバイスの使用状態を表した説明図である。
【図５】カード型に形成したさらに他の入力デバイスの構造を表した説明図である。
【発明を実施するための形態】
【００１０】
（実施例１）
本発明を実施するための形態について、図を参照しながら説明する。
本実施形態に係る入力デバイス１は、マルチタッチを認識できる静電容量検出方式のタッチスクリーンに用いるものである。図１は、入力デバイス１の内部構造を表したものであって、基材４と基材４の内部に設けた導電素材によって形成した各手段を表したものである。入力デバイス１は、一例としてクレジットカード程度の大きさの長方形状の薄板状を成した基材４を有しており、タッチスクリーンに対して接触可能な平面を形成するようになっている。基材４は、紙、樹脂製シート、その他絶縁性を有する素材からなる矩形のシートとして形成されている。入力デバイス１の外形形状は、抜き型や裁断機を用いた外形形状の裁断によって形成される。なお、基材４の外形形状は、長方形には限定されないものであり円形に形成してもよいものである。
【００１１】
基材４の長手方向の中央を中心とした端部を除く領域（被検出領域）５に、識別可能な特性情報（以下「コード情報」という）を構成する導電性物質からなる複数の面状領域（電極面３ａ、３ｂ）を配置している。電極面３ａ、３ｂは、一例として６〜１０ｍｍ程度の円形領域として形成されており、図示した例では１つのコード情報を形成する電極面の組み合わせ（グループ）を２組設けている。すなわち、５つの電極面３ａが一組のコード情報を形成し、５つの電極面３ｂがもう一組のコード情報を形成している。
【００１２】
一組のコード情報を形成する複数の電極面３ａは、それぞれ基材４の長手方向の端縁付近に設けた静電容量保持領域６ａと細幅の導電線２ａによって電気的に接続されている。また、もう一方のコード情報を形成する複数の電極面３ｂは、静電容量保持領域６ａの反対側に位置する静電容量保持領域６ｂとそれぞれ細幅の導電線２ｂによって電気的に接続されている
静電容量保持領域６ａ、６ｂおよび導線部２ａ、２ｂは、電極面３ａ、３ｂと同様に導電物質を含んだインクや塗料、金属箔等によって構成される。
【００１３】
静電容量保持領域６ａ、６ｂは、導線部２ａ、２ｂと同程度の幅に形成した細線によって格子状若しくは編目状の形態を成す平面として形成した領域である。静電容量保持領域６ａ、６ｂは必ずしも格子状若しくは編目状を成す必要はないが、細線と細線を設けない空隙部分が設けられているのが好ましい。このような格子状若しくは編目状に形成した目的は、できるだけ静電容量として保持可能な電荷の量を大きくすることである。これは、電極面３ａ若しくは電極面３ｂがタッチパネルの検出電極に電磁気的な影響を強く与えることを目的として設けたものである。人体で例えるならば電極面３ａ、３ｂが指先であり、この指先につながる指、手、腕、胴体の役割を果たすのが静電容量保持領域６ａ、６ｂである。
【００１４】
なお、導線部の全長を長くすることによっても静電容量保持領域と同様の作用を付与することが可能である。例えば、Ａ２、Ａ１、Ａ０サイズといった、スマートフォンの外形に対して圧倒的に大きな面積を有する用紙を基材として用いる場合、静電容量保持領域のような区画された領域を設けなくても、電極面に線長の長い導線部を接続するだけで電極面を検出できるようになる。すなわち、静電容量保持領域を、電極部を設けた領域から遠ざけた位置にまで長さを延ばした導線によって形成すると静電容量保持領域と同様の作用が生じ、電極面の検出が可能となる。これは大きなサイズの用紙を基材として用いる場合に有効な方法であり、用紙を壁などに貼り付けた状態で、スマホを把持してタッチスクリーンを用紙に密着させることで電極面の検出が可能になる。
電極面を設けた領域は概ね５０ｍｍ四方の大きさであるが、例えばＡ２、Ａ１、Ａ０といった大きさの用紙に電極面を設けた場合には、導線部の長さをこの領域を区画する四辺の長さよりも遙かに長く（少なくとも２場合以上）することができる。このような長さに形成すると電荷の保持量が多くなり、電極面を十分に機能させることが可能になる。
【００１５】
また、基材４の外縁に近接した静電容量保持領域６ａ、６ｂの外周には、基材４の外縁に至る導電部７を複数設けている。この導電部７は、基材４の端縁から外部に露出しており、人体が直接触れることができるようになっている。
一例として、基材４に設けた静電容量保持領域６ａ、６ｂ、導線部２ａ、２ｂ、電極面３ａ、３ｂは、貼り合わせたシート状素材の中若しくは積層した絶縁性の印刷層によって、入力デバイス１の内部（内層）に設けられた状態になっている。このため、外部からは絶縁された状態になっている。しかしながら、導電部７を設けることによって入力デバイス１を把持する際に指先が触れることが可能になり、静電容量保持領域６ａ、６ｂとの間で電荷の移動が行えるようになっている。
【００１６】
さらに静電容量保持領域６ａおよび静電容量保持領域６ｂは、タッチスクリーンによって検出されることがないように形成されている。すなわち、電極面のような塗りつぶされた平面を持たず、かつ電極面と比較して圧倒的に広い（例えば２０倍以上の）面積の領域として形成することで、指先を接触させた際のタッチポイントとして認識されないようにしている。
【００１７】
図に示した入力デバイス１の場合、５つの電極面３ａが一組のコード情報を形成し、かつ各電極面３ａが基材４の長手方向末端側（図１の下側）に設けた静電容量保持領域６ａと導線部２ａを介して接続されている。そして、この一組の電極面３ａの配置を１８０度回転させた対称位置にもう一組の構成と電極面３ｂを設け、基材４の長手方向先端側（図１の上側）に設けた静電容量保持領域６ｂと導線部２ｂを介して接続されている。すなわち、入力デバイス１は、基材４の天地が逆になるように１８０度回転させても、機能上は同一のコードを生成するようになっている。
尚、１８０度回転させた場合に、異なるコード情報を生成するように電極面を配置することも当然ながら可能である。また、本実施例では長方形状の両側部である対称位置に静電容量保持領域を設けているが、例えば長方形状の長手方向端部と端手方向端部の付近に設けるなど、対称位置に限らずコード情報を形成する電極面のグループの周囲に２以上の静電容量保持領域を設けたものでもよい。
【００１８】
図２は、スマートフォン１０に入力デバイス１を載置した様子を表している。なお、電極面、静電容量保持領域、導線部は基材４を構成する層の内部もしくはインクや塗料による印刷層によって隠蔽されているので外観上は見えないようになっているが、同図では説明のために内部の状態も表している。
入力デバイス１は、図２に示しているようにスマートフォン１０のタッチスクリーン１１上に面接触させることによって、人間が指先でタッチスクリーン１１に触れた場合と同様に電極面の配置を認識するようになっている。
図示した例では、コードを形成する一組の電極面３ａがタッチスクリーン１１に配置され、電極面３ａに接続された静電容量保持領域６ａがタッチスクリーン１１と重ならない位置に配置されている。そして、もう一つのコードを生成する電極面３ｂの一部がタッチスクリーン１１に配置され、静電容量保持領域６ｂの一部がタッチスクリーン１１もタッチスクリーン１１に配置されている。
【００１９】
上記の例では、電極面３ａは検出されるものの電極面３ｂは検出されない。電極面３ａはタッチスクリーン１１の検出電解の影響を受けない静電容量保持領域６ａと接続されているので、電極面３と静電容量保持領域６ａとの間での電荷の移動（振動）が行われるため検出可能である。一方、電極面３ｂは静電容量保持領域６ｂと一体的にタッチスクリーン１１の検出電解の影響を受け、静電容量保持領域６ｂと電極面３ｂとの間における電荷の移動が制限されため検出されない状態になる。
このような性質を利用することで、入力デバイス１を載置する向きを１８０度反転させた場合に、電極面３ｂは検出されるが電極面３ａは検出されない入力デバイス１を構成することができる。そのため、入力デバイス１は一枚のカード型の入力デバイスでありながら、その向きを変えることによって、１つ以上のコードを保持することが可能になっている。
【００２０】
なお、図１，図２に示した入力デバイス１は、基材４を１８０度回転させても電極面や静電容量保持領域の配置が同一となるように形成しているので、この入力デバイス１は、どの向きでタッチスクリーン１１上に裁置しても同一のコードが取得できるようになっている。また、必ずしも対称形状である必要は無いので、電極面を対称配置しない場合には２つのコードを有する入力デバイスを構成することが可能になる。
【００２１】
（実施例２）
次に、本発明に係る入力デバイスの他の例を図３，図４を用いて説明する。
図３、図４に示した入力デバイス１００は、前述した入力デバイス１と同様にマルチタッチを認識できる静電容量検出方式のタッチスクリーンに用いるものである。図３は、入力デバイス１００の外形形状を成す基材１０４と、基材１０４の内部に設けた導電素材による各手段を表している。入力デバイス１００は、一例として長方形状の薄板状を成した基材１０４を有しており、タッチスクリーンに対して接触可能な平面を形成するようになっている。基材１０４は、紙、樹脂製シート、その他絶縁性を有する素材からなる矩形のシートとして形成されている。
基材１０４の長手方向の中央を中心とした領域に、コード情報を構成する導電性物質からなる複数の面状領域（電極面１０３）を配置している。電極面１０３は、一例として６〜１０ｍｍ程度の円形領域として形成されており、図示した例では１つのコード情報を形成する５つの電極面１０３を１組設けている。
【００２２】
中央付近に配置した一組のコード情報を形成する複数の電極面１０３は、基材１０４の長手方向の両方の端縁付近に設けた静電容量保持領域１０６ａおよび静電容量保持領域１０６ｂの双方と細幅の導電線１０２ａ、１０２ｂによって電気的に接続されている。すなわち、ひとつの電極面１０３が、対称位置に設けた２つの静電容量保持領域に接続されている。なお、この例では電極面１０３同士は互いに直接接続しないようになっている。電極面１０３、静電容量保持領域１０６および導線部１０２ａ、１０２ｂは、導電物質を含んだインクや塗料、金属箔等によって構成される。
【００２３】
静電容量保持領域１０６は、導電線１０２ａ、１０２ｂと同程度の幅に形成した細線によって格子状若しくは編目状の形態を成す平面として形成した領域である。また、基材１０４の外縁に近接した静電容量保持領域１０６ａ、１０６ｂの外周には、基材１０４の外縁に至る導電部１０７ａ、１０７ｂを複数設けている。この１０７ａ、１０７ｂは、基材１０４の端縁から外部に露出しており、人体が直接触れることができるようになっている。
基材１０４に設けた静電容量保持領域１０６ａ、１０６ｂ、導線部１０２ａ、１０２ｂ、電極面１０３は、貼り合わせたシート状素材の内層若しくは積層した絶縁性の印刷層の形成によって、入力デバイス１の内部（内層）に設けられた状態になっている。
このため、外部からは絶縁された状態になっている。しかしながら、導電部１０７ａ、１０７ｂを設けることによって入力デバイス１００を把持する際に指先が触れることが可能になり、静電容量保持領域１０６ａ、１０６ｂと人体との間で電荷の移動が行えるようになっている。
【００２４】
静電容量保持領域１０６ａおよび静電容量保持領域１０６ｂは、タッチスクリーンによって検出されることがないように形成される。すなわち、電極面のような塗りつぶされた平面を持たず、かつ電極面１０３と比較して圧倒的に広い（例えば２０倍以上の）面積の領域として形成することで、指先を接触させた際のタッチポイントとして認識されないようにしている。
【００２５】
図３に示した入力デバイス１００の場合、５つの電極面１０３が一組のコード情報を形成し、基材１０４の長手方向の両末端側に設けた静電容量保持領域１０７ａ、１０７ｂと導線部１０２ａ、１０２ｂを介して接続されている。
この一組の電極面１０３の配置は、入力デバイス１００を１８０度回転させても互いの相対的な位置関係は同一である。すなわち、同一のコードであると認識することが可能である。ただし、電極面１０３の配置を認識する側のプログラムの仕様によって、同一のコードであると認識してもよいし、同一のコードであることに加えて回転している状態であることを認識してもよい。
【００２６】
図４は、スマートフォン１０に入力デバイス１００を載置した様子を表している。なお、電極面１０３、静電容量保持領域１０６ａ、１０６ｂ、導線部１０２ａ、１０２ｂは隠蔽されているので外観上は見えないようになっているが、同図では説明のために内部の状態も表している。
入力デバイス１００は、図４に示しているようにスマートフォン１０のタッチスクリーン１１上に面接触させることによって、人間が指先でタッチスクリーン１１に触れた場合と同様に電極面１０３の配置を認識するようになっている。
【００２７】
上記の例では、タッチスクリーン１１上に電極面１０３が配置されるが、静電容量保持領域１０７ａ若しくは静電容量保持領域１０７ｂの一方もタッチスクリーン１１上に配置される可能性がある。しかしながら、静電容量保持領域１０７ａ、１０７ｂは広い面積を有する編目状に形成しているため、タッチスクリーン１１に検出されることはない。
【００２８】
入力デバイス１００は、基材１０４を１８０度回転させた状態であっても、電極面１０３をタッチスクリーン１１上に配置することができ、かつ静電容量保持領域１０７ａ若しくは静電容量保持領域１０７ｂの一方がタッチスクリーン１１から外れた位置に配置される。このため、入力デバイス１００は、どの向きでタッチスクリーン１１上に裁置してもコードとして情報を取得できるようになっている。
【００２９】
現在スマートフォンやタブレットに搭載されているタッチスクリーン（タッチパネルともいう）の多くは、人間の指先が接触した場合に生じる静電容量の変化を検出するものであり、検出結果を演算処理することによってその接触点の座標位置を算出し、その情報を出力するものである。すなわち、点の検出を目的としたものであって、面積のある領域を検出する仕様にはつくられていない。
このような仕様のタッチスクリーンは、タッチスクリーンに対向して配置される面が、上述した電極面のようにタッチスクリーン全体の面積に対して明らかに小さい点と看做して良いほどの面積である場合に、電極面の略中心位置を点として認識するものである。これは、タッチスクリーンを駆動しているドライバーである制御プログラムが、人間の指先の接触を検出することを目的としたものだからであり、タッチスクリーンを指先で操作するＧＵＩを用いる場合には必然的に上記のような仕様になる。
【００３０】
一方、上記のようなスマートフォンやタブレットに用いるタッチスクリーンの仕様では、タッチスクリーン全体の面積に対して小さい点と看做せない（指先の接触と看做せない）大きな面積を有した導電面は、指先の接触は看做さず座標を演算しない。このため、上記入力デバイスに搭載した静電容量保持領域のような指先とは看做せないような面積の大きい領域は、その座標位置が検出されることがない。本発明は、このような性質を利用したものであり、タッチスクリーン上に静電容量保持領域と電極面が配置された場合であっても、静電容量保持領域を検出せずに電極面によって形成されるコードのみを取得するように構成したものである。
【００３１】
また、上記入力デバイスの静電容量保持領域は、面全体を導電性物質によって形成したものではなく、複数の細線を交差させて空隙を形成した編目（格子）状を成している。これは、静電容量保持領域がタッチスクリーン上に配置された場合に、タッチスクリーンに対する影響をなるべく与えないようにすることと、導電インク等の導電性物質の使用量を少なくすることによる乾燥処理時間の短縮や資材コストの低減等を目的としたものである。
さらに、全面を塗りつぶす場合と比較して、静電容量保持領域としての電荷の保持機能の向上が認められている。静電容量保持領域は電極面との間で電荷の移動（若しくは振動）を効率よく行わせる作用を有していると推測される。
タッチスクリーンは、検出電極をコンデンサと看做した共振回路を構成し、このコンデンサに導電物質が対向して静電容量が変化した場合に生じる共振周波数の変化を検出するようになっている。すなわち、この共振周波数を大きく変化させることを目的として、電極面に編目（格子）状に形成した静電容量保持領域を接続している。
【００３２】
また、静電容量保持領域の外周には端縁を外部に露出させた導電部を設けている。この導電部は入力デバイスを把持する人体と接触できるように構成した部分である。外部と絶縁された入力デバイスの内層に設けた静電容量保持領域と人体を接続することができるようになっている。静電容量保持領域は、人体との接触や近接に関わらず電極面に対して検出に必要な電荷の移動を行わせることができるように構成されているが、人体との接触（合成）によって保持可能な電荷が増加することになり、電極面の検出をより強く行わせるようになっている。
【００３３】
（実施例３）
図５は、入力デバイスの他の例を表した説明図である。
入力デバイス２００は、前述した入力デバイス１と近似した構造を有しているので、同一の構成については同一の符号を付してその説明を省略する。入力デバイス１との相違点は、静電容量保持領域２０６が細線によって格子状に形成したものではなく、導電性素材によって面状に形成した領域である点である。静電容量保持領域は、入力デバイス１のように細線による格子状の領域として形成したものが好ましいものであるが、一定以上の面積を有することで入力デバイス１と同様に動作させることができる。
【００３４】
以上説明したように、本発明はタッチスクリーンによって検出される電極部と、この電極部との間で電荷の移動を行わせることができる静電容量保持領域を設けている。電極部は静電容量保持領域と接続されることによってタッチスクリーンによって検出される事が可能になるものであるが、静電容量保持領域自体はタッチスクリーンによって座標が検出されることのない態様で設けられている。本発明に係る入力デバイスは、このような性質を使用することができる各種の形態の入力デバイスに適用可能なものである。
以上説明した各手段は、適宜組み合わせて使用することができるものであり、本発明の趣旨を逸脱しない範囲において、本発明の技術的範囲に含まれるものである。
【産業上の利用可能性】
【００３５】
本発明は、静電容量検出方式のタッチスクリーンに用いる入力デバイスとして機能する長方形状に形成したカードに利用可能である。また、長方形状に形成したカードの２つある短辺のうち、どちらの短辺を持ってもタッチスクリーンに接触させた場合であっても、保持させたコード情報を検出させることができる入力デバイスに利用可能である。
また、矩形に形成されているタッチスクリーンの左右どちら側から接触させてもコード情報を検出することができるので、入力デバイスを持つ手が右手であっても左手あっても使用することができる入力デバイスに利用可能である。
【符号の説明】
【００３６】
１  入力デバイス
２ａ、２ｂ  導線部
３ａ、３ｂ  電極面
４  基材
５  被検出領域
６ａ、６ｂ  静電容量保持領域
７  導電部
【図１】
2020046848.tif 000003
【図２】
2020046848.tif 000004
【図３】
2020046848.tif 000005
【図４】
2020046848.tif 000006
【図５】
2020046848.tif 000007